【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
ローカルネットワーク上のコンテンツサーバーが該ローカルネットワークに結合された表現装置に対してコンテンツを列挙し、クロスコード変換し、提供するのに適するコンピュータプログラムであって、前記表現装置とコンテンツサーバーは該ローカルネットワークにおける装置間の通信を管理することに限定された第１の通信プロトコルを介して通信し、前記コンテンツサーバーは、更に、ネットワークにおいてコンテンツ及びデータを転送するための第２の通信プロトコルを使用して通信するのに適されており、前記コンテンツサーバーのプロセッサに、
前記第２の通信プロトコルを介して、前記ローカルネットワーク又は遠隔ネットワーク上のコンテンツ供給源に対して、該コンテンツサーバーによって、コンテンツを問い合わせる手順と、
前記第１の通信プロトコルを介して、前記表現装置によって表現可能なファイルタイプとデータフォーマットを、該コンテンツサーバーによって、判定する手順と、
前記表現装置によって表現可能なファイルタイプ及びデータフォーマットでないコンテンツに応答して、該コンテンツサーバーによって、該コンテンツを、前記表現装置によって表現可能なファイルタイプ及びデータフォーマットに、クロスコード変換する手順と
を実行させることを特徴とするコンピュータプログラム。
【請求項２】
前記ローカルネットワークはＵＰｎＰ設計思想に基づくものであり、前記第１の通信プロトコルはＵＰｎＰ通信プロトコルである、請求項１に記載のコンピュータプログラム。
【請求項３】
前記ローカルネットワーク上の或る装置が、メディア管理アプリケーションとメディアファイルの保管場所を具備しており、前記コンテンツサーバーのプロセッサに、更に、
該メディア管理アプリケーションにメディアファイルを問い合わせる手順と、
前記表現装置によって表現可能なファイルタイプとデータフォーマットでない１以上のメディアファイルに応答して、該１以上のメディアファイルを、前記表現装置によって表現可能なファイルタイプ及びデータフォーマットに、クロスコード変換する手順と
を実行させるようにしたことを特徴とする、請求項１に記載のコンピュータプログラム。
【請求項４】
前記コンテンツサーバーのプロセッサに、
各メディアファイルを表す固有の識別子でディレクトリを作成するために、該コンテンツサーバーによってメディアファイルを列挙する手順と、
前記第２の通信プロトコルを介して、前記コンテンツサーバーから制御ポイントに前記ディレクトリを提供する手順と
を更に実行させるようにしたことを特徴とする、請求項３に記載のコンピュータプログラム。
【請求項５】
前記コンテンツサーバーによってメディアファイルを列挙する前記手順は、前記コンテンツサーバーのプロセッサに、
固有の識別子を持つ各メディアファイルを提供する手順と、
該各メディアファイルの固有の識別子を該コンテンツの所在位置に対応するポインターに関連付ける手順と、
該メディアファイルの固有の識別子を使用してディレクトリを作成する手順と、
該ディレクトリをリクエストする装置によって読み取り可能なフォーマットに、該ディレクトリを翻訳する手順と
を実行させることを含む、請求項４に記載のコンピュータプログラム。
【請求項６】
前記コンテンツサーバーのプロセッサに、前記ローカルネットワーク上の諸装置の表現履歴に従い前記ディレクトリを組織化する手順を更に実行させるようにしたことを特徴とする、請求項４に記載のコンピュータプログラム。
【請求項７】
前記装置によって読み取り可能なフォーマットに前記ディレクトリを翻訳する前記手順は、拡張可能なマークアップ言語にディレクトリを翻訳することからなる、請求項５に記載のコンピュータプログラム。
【請求項８】
前記コンテンツサーバーのプロセッサに、
前記ディレクトリからのメディアファイルの選択を、該コンテンツサーバーにて前記表現装置から受信する手順と、
前記第２の通信プロトコルを介して、前記ディレクトリ内の前記選択されたメディアファイルを、該コンテンツサーバーから前記表現装置に送信する手順と
を更に実行させるようにしてなり、該表現装置は該選択されたメディアファイルを表現する、請求項４に記載のコンピュータプログラム。
【請求項９】
前記ローカルネットワーク又は遠隔ネットワーク上のコンテンツ供給源に対して、前記コンテンツサーバーによって、コンテンツを問い合わせる前記手順は、前記コンテンツサーバーのプロセッサに、
前記第２の通信プロトコルを介して、ローカルネットワーク上の諸装置に対してコンテンツを同時に問い合わせし、かつ、ネットワーク上の遠隔地サーバーにコンテンツを問い合わせする手順と、
前記第２の通信プロトコルを介して、遠隔地ソースからデータフィードを取り出す手順と
を実行させることを含む、請求項１に記載のコンピュータプログラム。
【請求項１０】
前記コンテンツをクロスコード変換する前記手順は、前記コンテンツサーバーのプロセッサに、
表現できないコンテンツをテンプレートに置く手順と、
該テンプレート内のコンテンツを、前記表現装置によって表現可能なファイルタイプとフォーマットになるように処理する手順と
を実行させることを含む、請求項１に記載のコンピュータプログラム。
【請求項１１】
前記テンプレートは、前記表現できないコンテンツと記表現装置によって表現可能な寸法に基づいて、複数のテンプレートの中から選択される、請求項１０に記載のコンピュータプログラム。
【請求項１２】
前記コンテンツがビデオファイルからなり、前記コンテンツをクロスコード変換する前記手順は、前記コンテンツサーバーのプロセッサに、
個別の画像として該ビデオファイルのフレームを選択する手順と、
前記表現装置によって表現可能な個別の画像ファイルを生成するように該選択されたフレームを処理する手順と
を実行させることを含む、請求項１に記載のコンピュータプログラム。
【請求項１３】
前記コンテンツが複数の静止画像からなり、前記コンテンツをクロスコード変換する前記手順は、前記コンテンツサーバーのプロセッサに、該複数の静止画像を処理してビデオファイルを生成する手順を実行させることを含む、請求項１に記載のコンピュータプログラム。
【請求項１４】
コンピュータによって実行されるシステムであって、ローカルネットワークに結合され、該ローカルネットワークに結合された表現装置に対してコンテンツを列挙し、クロスコード変換し、提供するのに適するようになっており、前記表現装置と該システムは該ローカルネットワークにおける装置間の通信を管理することに限定された第１の通信プロトコルを介して通信し、前記システムは、更に、ネットワークにおいてコンテンツ及びデータを転送するための第２の通信プロトコルを使用して通信するのに適しており、前記システムは、
コンピュータプロセッサと、
前記コンピュータプロセッサ上で実行されるように構成されたコンピュータプログラムモジュールを記憶するコンピュータ読み取り可能な記憶媒体と
を具備し、前記コンピュータプログラムモジュールは、
前記第２の通信プロトコルを介して、前記ローカルネットワーク又は遠隔ネットワーク上のコンテンツ供給源にコンテンツを問い合わせるように構成されたメディア管理モジュールと、
前記第１の通信プロトコルを介して、前記表現装置によって表現可能なファイルタイプとデータフォーマットを判定し、前記表現装置によって表現可能なファイルタイプ及びデータフォーマットでないコンテンツに応答して、前記コンテンツを、該表現装置によって表現可能なファイルタイプとデータフォーマットに、クロスコード変換するように構成されたクロスコード変換モジュールと、
を含むことを特徴とするシステム。
【請求項１５】
前記クロスコード変換モジュールが、
表現できないコンテンツを１つのテンプレートに置き、
前記表現装置によって表現可能なファイルタイプとフォーマットでなるコンテンツを生成するように該テンプレートを処理する
ように更に構成されている、請求項１４に記載のシステム。